(57)【要約】【課題】壁の仕上げ工事の進行を阻害せずに、また、壁の仕上がり具合による影響を受けずに乗場表示装置を取り付けられるようにする。【解決手段】本発明の一実施形態に係るエレベータの乗場表示装置は、エレベータ乗場の壁面に取り付けられ、表示器24を有するエレベータの乗場表示装置において、表示器24が設けられる本体を構成する筐体21と、エレベータ乗場の壁面の下地に取り付けられる壁面取付プレート10と、筐体21を保持する中間取付ブラケット16と、下地と中間取付ブラケット16との間隔が可変なように中間取付ブラケット16を支持する支持手段と、を備えている。【選択図】図１
2020090366.tif 000002
【特許請求の範囲】
【請求項１】
エレベータ乗場の壁面に取り付けられ、表示器を有するエレベータの乗場表示装置において、
前記表示器が設けられる本体を構成する筐体と、
前記エレベータ乗場の壁面の下地に取り付けられる壁面取付プレートと、
前記筐体を保持する中間取付ブラケットと、
前記下地と前記中間取付ブラケットとの間隔が可変なように前記中間取付ブラケットを支持する支持手段と、
を備えることを特徴とするエレベータの乗場表示装置。
【請求項２】
前記支持手段は、前記壁面取付プレートに固定された複数のナットと、前記ナットに螺合し前記中間取付ブラケットから頭部が突き出るように設けられた複数のボルトと、からなることを特徴とする請求項１に記載のエレベータの乗場表示装置。
【請求項３】
前記壁面取付プレートと前記中間取付ブラケットの間に配置され、前記ボルトが挿通される座屈可能な保護管を有することを特徴とする請求項２に記載のエレベータの乗場表示装置。
【請求項４】
前記中間取付ブラケットは、前記壁面取付プレートおよび前記ナットを受容可能な凹部を有することを特徴とする請求項２または３に記載のエレベータの乗場表示装置。
【請求項５】
前記支持手段は、前記中間取付ブラケットに一端部がピン連結され互いに平行なリンク部材と、前記リンク部材の他端部がピン連結され前記壁面取付プレートに設けられるガイドに沿って摺動可能なスライド部材と、からなる平行リンク機構からなることを特徴とする請求項１に記載のエレベータの乗場表示装置。
【請求項６】
エレベータ乗場の壁面に取り付けられ、表示器を有するエレベータの乗場表示装置の取付方法であって、
前記エレベータ乗場の壁面の下地に壁面取付プレートを取り付け、
前記乗場表示装置の筐体が装着される中間取付ブラケットと前記下地の間隔を可変にする支持手段を用いて、前記壁面の仕上げの施工前または施工されている間は前記乗場表示装置の筐体を前記下地から浮いた状態に支持し、
前記壁面の壁仕上げが完了した後に、前記中間ブラケットと前記下地との間隔を狭めて前記乗場表示装置の筐体を仕上げ材に密着させて取り付けることを特徴とするエレベータの乗場表示装置の取付方法。
【発明の詳細な説明】
【技術分野】
【０００１】
本発明の実施形態は、エレベータの乗場表示装置に関する。
【背景技術】
【０００２】
エレベータの乗場には、操作押し釦、表示灯、インジケータ等を備えた乗場表示装置が設置されている。乗場にいる利用者が操作押し釦を押すと、乗場呼びが登録され、操作押し釦は点灯する。インジケータには、乗りかごの現在位置、方向が表示される。このような乗場表示装置は、乗場の壁面に設置されるため、取り付けにあたっては、考慮しなければならないことがいろいろとある。
【０００３】
エレベータ乗場の壁面では、コンクリートの下地に塗料、モルタル、仕上げ材等が何重にも重なっている。工事の仕上がり具合によっては、下地の表面に凹凸の残る不整表面になったりすることがある。また、仕上げ不良に起因して、乗場表示装置の筐体が傾いた状態で取り付けられてしまう場合もある。このため、不完全な工事による乗場表示装置の取付の不具合を防止するため、従来から様々な対策が講じられている。
【０００４】
例えば、特許文献１では、壁面が凹凸のある不整表面であった場合でも、乗場表示装置の筐体を歪みなしに取り付けられるようにした乗場表示装置が提案されている。  
また、特許文献２では、乗場表示装置の筐体が傾いた状態に取り付けられても、フェースプレートの傾きを調整できる機構を備えた乗場表示装置が提案されている。
【先行技術文献】
【特許文献】
【０００５】
【特許文献１】特許第３８０７８２８号公報
【特許文献２】特開２０１３−２２０８８１号公報
【発明の開示】
【発明が解決しようとする課題】
【０００６】
エレベータの乗場表示装置は、乗場の壁仕上げ工事が完了した後に取り付けられることもあるが、壁仕上げ工事前、あるいは壁仕上げ工事が進行している時に取り付けられる場合も多い。これは、エレベータの利用を確保しておくためである。このため乗場表示装置は、壁の仕上がりを見込んだ寸法分を壁から浮かした状態で取り付ける必要があった。  
しかし、浮かした状態の乗場表示装置があると、その回りの壁仕上げを非常にやり難くし、高品位に仕上げるのは難しくなる。
他方、壁仕上げは、下地表面の凹凸を修正したり、何層にもモルタルを塗ったりというように、熟練が要求される技能である。壁の仕上がり具合は、個々の職人の力量に依存することが多い。このため、壁仕上がり面に凹凸が残ったり、厚さが一定でなかったり、不均一に仕上がることがしばしばある。壁の仕上がり具合は、乗場表示装置の取り付け状態の良否に重大な影響を与える。
【０００７】
壁の不完全な仕上がり状態の場合、乗場表示装置の筐体は、壁の仕上がり面にぴったりと密着しないことがある。乗場表示装置の筐体の回りには、壁面との間に隙間ができたり、傾いてしまうといった不具合が生じる。場合によっては、乗場表示装置を取り外して壁仕上げをやり直さなければならないこともあった。
【０００８】
本発明は、前記従来技術の有する問題点に鑑みなされたものであって、壁の仕上げ工事の進行を阻害せずに、また、壁の仕上がり具合による影響を受けずに乗場表示装置を取り付けられるようにしたエレベータの乗場表示装置を提供することを目的とする。
【課題を解決するための手段】
【０００９】
前記の目的を達成するために、本発明の一実施形態に係るエレベータの乗場表示装置は、エレベータ乗場の壁面に取り付けられ、表示器を有するエレベータの乗場表示装置において、前記表示器が設けられる本体を構成する筐体と、前記エレベータ乗場の壁面の下地に取り付けられる壁面取付プレートと、前記筐体を保持する中間取付ブラケットと、前記下地と前記中間取付ブラケットとの間隔が可変なように前記中間取付ブラケットを支持する支持手段と、を備えることを特徴とするものである。
【００１０】
また、本発明の一実施形態に係るエレベータの乗場表示装置の設置方法は、エレベータ乗場の壁面に取り付けられ、表示器を有するエレベータの乗場表示装置の取付方法であって、前記エレベータ乗場の壁面の下地に壁面取付プレートを取り付け、前記乗場表示装置の筐体が装着される中間取付ブラケットと前記下地の間隔を可変にする支持手段を用いて、前記壁面の仕上げの施工前または施工されている間は前記乗場表示装置の筐体を前記下地から浮いた状態に支持し、前記壁面の壁仕上げが完了した後に、前記中間ブラケットと前記下地との間隔を狭めて前記乗場表示装置の筐体を仕上げ材に密着させて取り付けることを特徴とするものである。
【図面の簡単な説明】
【００１１】
【図１】本発明の第１実施形態によるエレベータの乗場表示装置の全体を示す斜視図である。
【図２】壁面取付プレートの構成を示す斜視図である。
【図３】ナットに螺合するボールによって位置を調整可能に支持される中間取付ブラケットを示す斜視図である。
【図４】壁面取付プレートおよび中間取付ブラケットの横断面を示す図である。
【図５】壁面の仕上げ施工を実施する際の中間取付ブラケットの位置を示す図である。
【図６】壁面の仕上げが完了した際の中間取付ブラケットの位置を示す図である。
【図７】仕上げ材が薄い場合の壁仕上げ施工中の中間取付ブラケットの位置を示す図である。
【図８】壁仕上げ施工完了後の中間取付ブラケットの位置を示す図である。
【図９】本発明の第２実施形態による乗場表示装置の分解斜視図である。
【図１０】本発明の第３実施形態によるエレベータの乗場表示装置を示す斜視図である。
【図１１】平行リンク機構を横から見た図である。
【図１２】中間取付ブラケットが移動した平行リンク機構を横から見た図である。
【発明を実施するための最良の形態】
【００１２】
以下、本発明によるエレベータの乗場表示装置の一実施形態について、添付の図面を参照しながら説明する。  
（第１実施形態）
図１は、本発明の第１実施形態によるエレベータの乗場表示装置の全体を示す斜視図である。図１において、参照番号20は、乗場表示装置を示している。参照番号21は、乗場表示装置の本体を形成する筐体である。この実施形態では、筐体21には、かご呼び登録操作を行うためのかご呼び釦23a、23bと、乗りかごの方向、乗りかごの位置している階床を示すインジケータ24が設けられている。筐体21には、かご呼び釦23a、23b、インジケータ24の本体と、これらに接続される電気回路が収容されている。
【００１３】
次に、図１において、参照番号10は、壁面取付プレートを示している。この壁面取付プレート10は、乗場壁面のコンクリートなどの下地に固定されるプレートである。この実施形態では、筐体21は、複数本のボルトにより壁面の下地から浮いているように支持されるようになっている。
【００１４】
次に、図２は、壁面取付プレート10の構成を示す斜視図である。この壁面取付プレート10は、図１に示した筐体21よりも一回り小さな板状の部材である。壁面取付プレート10の上下端部および中央部には、ねじ11がねじ込まれ、壁面取付プレート10は、壁面の下地に対して固定される。壁面取付プレート10には、所要の位置に、複数のナット12が固定されている。  
ここで、図３は、ナット12に螺合するボルト14によって位置を調整可能に支持される中間取付ブラケット16を示す斜視図である。  
この中間取付ブラケット16は、壁面取付プレート10よりも一回り大きな長方形の部材である。中間取付ブラケット16の裏面側は、全体的に凹んだ形状に成形されている。ボルト14の頭部15は、中間取付ブラケット16の表面に露出するようになっている。
【００１５】
図４は、壁面取付プレート10および中間取付ブラケット16の横断面を示す図である。  
ナット12に螺入されるボルト14は、壁面取付プレート10を貫通してコンクリートの下地17に穿孔されている穴まで延びるようになっている。図４において、Ａは、下地17と中間取付ブラケット16との間隔を示している。
【００１６】
ボルト14をナット12に締め込んでいく方向に回していくと、中間取付ブラケット16は、下地17に近づいていくので、中間取付ブラケット16と下地17の表面との間隔Ａを狭くすることができる。ボルト14を逆に緩める方向に回していくと、中間取付ブラケット16と下地17の表面との間隔Ａを長くすることができる。このように、本実施形態では、ボルト14とナット12とから、下地17と中間取付ブラケット16との間の間隔Ａを可変に調整しながら中間取付ブラケット16を支持する手段が構成されている。
【００１７】
図４において、乗場表示装置20の筐体21は、中間取付ブラケット16に嵌合させるようにして装着され、図示しないねじ等の締結部材により固定される。これによって、筐体21は、ボルト14によって壁面の下地17から浮いた状態で支持されるようになっている。
【００１８】
本実施形態によるエレベータの乗場表示装置は、以上のようにボルト14と中間取付ブラケット16に支持されているので、壁面の仕上げ施工を次のように、行うことができる。
【００１９】
図５は、壁面の仕上げ施工を実施する際の中間取付ブラケット16の位置を示す図である。中間取付ブラケット16には、仕上げ施工の前、あるいは施工中から乗場表示装置20の筐体21が取り付けられており、エレベータは乗場表示装置20を使用して利用できる状態になっている。壁面の下地17と中間取付ブラケット16との間には、仕上げの作業を行うのに必要十分な間隔が確保されている。このため、筐体21が仕上げの作業を阻害することはない。
【００２０】
次に、図６は、壁面の仕上げが完了した際の中間取付ブラケット16の位置を示す図である。  
ボルト14を締め込んでいく方向に回していくと、壁面の仕上げ材30と中間取付ブラケット16の間隔は狭くなっていく。さらに、ボルト14を締め込んでいくと、中間取付ブラケット16の凸部18が仕上げ材30の表面に接触する。この場合、凸部18の接触と同時に筐体21の端面も仕上げ材30に接触するように調整されており、筐体21を仕上げ材30に対して隙間無く密着させることができる。また、仕上げ材30の厚さが完全に均等ではなく、多少のばらつきや凹凸があった場合でも、ボルト14を締め込んでいくことで、筐体21を仕上げ材30との間に隙間無く取り付けることができ、仕上げの良否による影響を回避することができる。  
以上は、仕上げ材30が比較的厚い場合である。
【００２１】
次に、図７、図８は、壁面の仕上げ材32が非常に薄い場合の施工例を示す図である。このうち、図７では、壁仕上げ施工中の中間取付ブラケット16の位置が示されており、図８では、壁仕上げ施工完了後の中間取付ブラケット16の位置が示されている。
【００２２】
この場合は、仕上げ材32の厚さは薄いので、壁面の下地17と中間取付ブラケット16との間には、仕上げの作業を行うのにあまり大きな間隔は必要とされない。この間隔の調整は、ボルト14の回転により行われる。図７に示されるように、施工に適当な間隔が確保されるが、仕上げ材32は薄いので、筐体21が仕上げの作業を阻害することはない。
【００２３】
壁面の仕上げが完了すると、ボルト14を締め込んでいく方向に回し、図８に示されるように、壁面の仕上げ材32に中間取付ブラケット16を近づけていく。さらに、ボルト14を締め込んでいくと、中間取付ブラケット16の凸部18が仕上げ材32の表面に接触する。この凸部18の接触と同時に筐体21の端面も仕上げ材32に接触するように調整されているので、筐体21を仕上げ材32に対して隙間無く密着させることができる。また、仕上げ材32の厚さが完全に均等ではなく、多少のばらつきや凹凸があった場合でも、ボルト14を締め込んでいくことで、筐体21を仕上げ材32との間に隙間無く取り付けることができる。
【００２４】
この仕上げ材32の厚さは、非常に薄いものである。この実施形態では、中間取付ブラケット16には、エンボス加工により壁面取付プレート10およびナット12を収容可能な凹部19が形成されているので、薄い仕上げ材32の場合であっても、ナット12が干渉せずに、仕上げ材32との間に隙間無く筐体21を取り付けることが可能である。
【００２５】
以上のようにして、厚い仕上げ材30の場合（図６）、薄い仕上げ材32の場合（図８）でも、厚さを問題とすることなく、壁仕上げ施工を乗場表示装置20に阻害されることなく実施することができる。
【００２６】
（第２実施形態）
次に、本発明の第２実施形態によるエレベータの乗場表示装置について、図９を参照して説明する。  
図９は、本発明の第２実施形態による乗場表示装置20の分解斜視図である。この第２実施形態は、ボルト14を覆うように保護管40が付加された実施の形態である。なお、第１実施形態と同一の構成要素には同一の参照符号を付してその詳細な説明は省略する。
【００２７】
保護管40は、樹脂管、ゴム管、蛇腹管等の可撓性があり、所定の軸方向の力が加わると座屈する管である。保護管40の長さは、ボルト14の長さよりも短く設定されている。ボルト14は、保護管40に挿通され、保護管40は、この状態で壁面取付プレート10と中間取付ブラケット16との間に配置される。
【００２８】
以上のような第２実施形態によれば、壁面の仕上げ工程に塗料等の吹き付けがあった場合に、保護管40はボルト14を塗料等から保護する。つまりボルト14の雄ねじに塗料等が付着するのを防止する。このため、壁面の仕上げが完了して、筐体21を壁仕上げ面に密着させて取り付けるときに、ボルト14を円滑に締め込むことができる。また、図８に示したような薄い壁仕上げ材32に場合には、保護可撓管40は座屈するので、そのままボルト14を締め込んで筐体21を取り付けることができる。
【００２９】
（第３実施形態）
図１０は、本発明の第３実施形態によるエレベータの乗場表示装置を示す。
【００３０】
第１実施形態、第２実施形態では、筐体21が装着される中間取付ブラケット16を可動に支持する手段として、ボルト・ナットからなるねじ機構が採用されているが、この第３実施形態では、ねじ機構の替わりに、次のような平行リンク機構が採用されている。
【００３１】
図１０において、参照番号44a、44bは、壁面取付プレート10と中間取付ブラケット16を連結する互いに平行なリンク部材である。このリンク部材44a、44bの一端は、スライド部材45a、45bと連結され、このスライド部材45a、45bは、ガイド48a、48bによって壁面取付プレート10の長手方向に案内されるようになっている。
【００３２】
ここで、図１１は、平行リンク機構を横から見た図である。  
リンク部材44aの一端は、ピン46aを介してスライド部材45aと連結され、リンク部材44aの他端はピン46aを介して中間取付ブラケット16と連結されている。もう片方リンク部材44bは図１１には示されていないが同様の連結構造となっている。  
図１１では、壁面取付プレート10から最も離れた位置にある中間取付ブラケット16が示されている。図１２では、スライド部材45aを動かすことで、壁面取付プレート10に近づいた中間取付ブラケット16が示されている。このように、スライド部材45a、45bをガイド48a、48bに沿って動かすことで、壁面取付プレート10と中間取付ブラケット16との間隔を可変にすることができる。
【００３３】
以上のような第３実施形態では、壁仕上げ施工の際には、図１１に示されるように、中間取付ブラケット16を壁面取付プレート10から離れた位置にして壁仕上げ施工を実施することになる。リンク部材44a、44bは、図示しないストッパに当たるので、中間取付ブラケット16にとりつけてある筐体21は支持される。  
壁仕上げ施工が終わると、スライド部材45a、45bを動かすことで、第１実施形態と同じようにして、筐体21を壁仕上げ材（図示せず）に対して密着させることができる。
【００３４】
以上、本発明に係るエレベータの乗場表示装置について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３５】
10…壁面取付プレート、11…ねじ、12…ナット、14…ボルト、16…中間取付ブラケット、17…下地、19…凹部、  20…乗場表示装置、21…筐体、23a、23b…かご呼び釦、24…インジケータ、30、32…仕上げ材、40…保護管、44a、44b…リンク部材、45a、45b…スライド部材
【図１】
2020090366.tif 000003
【図２】
2020090366.tif 000004
【図３】
2020090366.tif 000005
【図４】
2020090366.tif 000006
【図５】
2020090366.tif 000007
【図６】
2020090366.tif 000008
【図７】
2020090366.tif 000009
【図８】
2020090366.tif 000010
【図９】
2020090366.tif 000011
【図１０】
2020090366.tif 000012
【図１１】
2020090366.tif 000013
【図１２】
2020090366.tif 000014
【手続補正書】
【提出日】令和1年12月4日(2019.12.4)
【手続補正１】
【補正対象書類名】明細書
【補正対象項目名】０００９
【補正方法】変更
【補正の内容】
【０００９】
前記の目的を達成するために、本発明の一実施形態に係るエレベータの乗場表示装置は、エレベータ乗場の壁面に取り付けられ、表示器を有するエレベータの乗場表示装置において、  前記表示器が設けられる本体を構成する筐体と、前記エレベータ乗場の壁面の表面に取り付けられる壁面取付プレートと、前記筐体を保持する中間取付ブラケットと、前記下地と前記中間取付ブラケットとの間隔が可変なように前記中間ブラケットを支持し、前記筐体を前記壁面の表面の下地から浮いた状態に支持する支持手段と、を備えることを特徴とするものである。
【手続補正２】
【補正対象書類名】明細書
【補正対象項目名】００１０
【補正方法】変更
【補正の内容】
【００１０】
また、本発明の一実施形態に係るエレベータの乗場表示装置の設置方法は、エレベータ乗場の壁面に取り付けられ、表示器を有するエレベータの乗場表示装置の取付方法であって、前記エレベータ乗場の壁面表面の下地に壁面取付プレートを取り付け、前記乗場表示装置の筐体が装着される中間取付ブラケットと前記下地の間隔を可変にする支持手段を用いて、前記壁面の仕上げの施工前または施工されている間は前記乗場表示装置の筐体を前記下地から浮いた状態に支持し、前記壁面の壁仕上げが完了した後に、前記中間ブラケットと前記下地との間隔を狭めて前記乗場表示装置の筐体を仕上げ材に密着させて取り付けることを特徴とするものである。
【手続補正３】
【補正対象書類名】特許請求の範囲
【補正対象項目名】全文
【補正方法】変更
【補正の内容】
【特許請求の範囲】
【請求項１】
エレベータ乗場の壁面に取り付けられ、表示器を有するエレベータの乗場表示装置において、
前記表示器が設けられる本体を構成する筐体と、
前記エレベータ乗場の壁面の表面に取り付けられる壁面取付プレートと、
前記筐体を保持する中間取付ブラケットと、
前記下地と前記中間取付ブラケットとの間隔が可変なように前記中間ブラケットを支持し、前記筐体を前記壁面の表面の下地から浮いた状態に支持する支持手段と、
を備えることを特徴とするエレベータの乗場表示装置。
【請求項２】
前記支持手段は、前記壁面取付プレートに固定された複数のナットと、前記ナットに螺合し前記中間取付ブラケットから頭部が突き出るように設けられた複数のボルトと、からなることを特徴とする請求項１に記載のエレベータの乗場表示装置。
【請求項３】
前記壁面取付プレートと前記中間取付ブラケットの間に配置され、前記ボルトが挿通される座屈可能な保護管を有することを特徴とする請求項２に記載のエレベータの乗場表示装置。
【請求項４】
前記中間取付ブラケットは、前記壁面取付プレートおよび前記ナットを受容可能な凹部を有することを特徴とする請求項２または３に記載のエレベータの乗場表示装置。
【請求項５】
前記支持手段は、前記中間取付ブラケットに一端部がピン連結され互いに平行なリンク部材と、前記リンク部材の他端部がピン連結され前記壁面取付プレートに設けられるガイドに沿って摺動可能なスライド部材と、からなる平行リンク機構からなることを特徴とする請求項１に記載のエレベータの乗場表示装置。
【請求項６】
エレベータ乗場の壁面に取り付けられ、表示器を有するエレベータの乗場表示装置の取付方法であって、
前記エレベータ乗場の壁面表面の下地に壁面取付プレートを取り付け、
前記乗場表示装置の筐体が装着される中間取付ブラケットと前記下地の間隔を可変にする支持手段を用いて、前記壁面の仕上げの施工前または施工されている間は前記乗場表示装置の筐体を前記下地から浮いた状態に支持し、
前記壁面の壁仕上げが完了した後に、前記中間ブラケットと前記下地との間隔を狭めて前記乗場表示装置の筐体を仕上げ材に密着させて取り付けることを特徴とするエレベータの乗場表示装置の取付方法。
【手続補正書】
【提出日】令和2年3月6日(2020.3.6)
【手続補正１】
【補正対象書類名】明細書
【補正対象項目名】０００９
【補正方法】変更
【補正の内容】
【０００９】
前記の目的を達成するために、本発明の一実施形態に係るエレベータの乗場表示装置は、エレベータ乗場の壁面に取り付けられ、表示器を有するエレベータの乗場表示装置において、  前記表示器が設けられる本体を構成する筐体と、前記エレベータ乗場の壁面の下地に取り付けられる壁面取付プレートと、前記筐体を保持する中間取付ブラケットと、前記下地と前記中間取付ブラケットとの間隔が可変なように前記中間取付ブラケットを支持し、前記筐体を前記壁面の下地から浮いた状態に支持する支持手段と、を備えることを特徴とするものである。
【手続補正２】
【補正対象書類名】明細書
【補正対象項目名】００１０
【補正方法】変更
【補正の内容】
【００１０】
また、本発明の一実施形態に係るエレベータの乗場表示装置の設置方法は、エレベータ乗場の壁面に取り付けられ、表示器を有するエレベータの乗場表示装置の取付方法であって、前記エレベータ乗場の壁面の下地に壁面取付プレートを取り付け、前記乗場表示装置の筐体が装着される中間取付ブラケットと前記下地の間隔を可変にする支持手段を用いて、前記壁面の仕上げの施工前または施工されている間は前記乗場表示装置の筐体を前記下地から浮いた状態に支持し、前記壁面の壁仕上げが完了した後に、前記中間取付ブラケットと前記下地との間隔を狭めて前記乗場表示装置の筐体を仕上げ材に密着させて取り付けることを特徴とするものである。
【手続補正３】
【補正対象書類名】特許請求の範囲
【補正対象項目名】全文
【補正方法】変更
【補正の内容】
【特許請求の範囲】
【請求項１】
エレベータ乗場の壁面に取り付けられ、表示器を有するエレベータの乗場表示装置において、
前記表示器が設けられる本体を構成する筐体と、
前記エレベータ乗場の壁面の下地に取り付けられる壁面取付プレートと、
前記筐体を保持する中間取付ブラケットと、
前記下地と前記中間取付ブラケットとの間隔が可変なように前記中間取付ブラケットを支持し、前記筐体を前記壁面の下地から浮いた状態に支持する支持手段と、
を備えることを特徴とするエレベータの乗場表示装置。
【請求項２】
前記支持手段は、前記壁面取付プレートに固定された複数のナットと、前記ナットに螺合し前記中間取付ブラケットから頭部が突き出るように設けられた複数のボルトと、からなることを特徴とする請求項１に記載のエレベータの乗場表示装置。
【請求項３】
前記壁面取付プレートと前記中間取付ブラケットの間に配置され、前記ボルトが挿通される座屈可能な保護管を有することを特徴とする請求項２に記載のエレベータの乗場表示装置。
【請求項４】
前記中間取付ブラケットは、前記壁面取付プレートおよび前記ナットを受容可能な凹部を有することを特徴とする請求項２または３に記載のエレベータの乗場表示装置。
【請求項５】
前記支持手段は、前記中間取付ブラケットに一端部がピン連結され互いに平行なリンク部材と、前記リンク部材の他端部がピン連結され前記壁面取付プレートに設けられるガイドに沿って摺動可能なスライド部材と、からなる平行リンク機構からなることを特徴とする請求項１に記載のエレベータの乗場表示装置。
【請求項６】
エレベータ乗場の壁面に取り付けられ、表示器を有するエレベータの乗場表示装置の取付方法であって、
前記エレベータ乗場の壁面の下地に壁面取付プレートを取り付け、
前記乗場表示装置の筐体が装着される中間取付ブラケットと前記下地の間隔を可変にする支持手段を用いて、前記壁面の仕上げの施工前または施工されている間は前記乗場表示装置の筐体を前記下地から浮いた状態に支持し、
前記壁面の壁仕上げが完了した後に、前記中間取付ブラケットと前記下地との間隔を狭めて前記乗場表示装置の筐体を仕上げ材に密着させて取り付けることを特徴とするエレベータの乗場表示装置の取付方法。